(57)【特許請求の範囲】
【請求項１】
フード本体１と送風機１０と洗浄液タンク２０と洗浄液ポンプ２１を備え、その送風機１０を駆動することで、前記フード本体１内の廃ガスを屋外に排出し、前記洗浄液タンク２０内の洗浄液を洗浄液ポンプ２１により前記廃ガスで汚れた洗浄部分に供給し、洗浄した後の洗浄液を前記洗浄液タンク２０に回収して循環再利用する洗浄装置を備えたレンジフードにおいて、
前記洗浄液タンク２０内の洗浄液を洗浄液ポンプ２１により送水管２２に送水し、この送水管２２内の洗浄液を、前記廃ガスで汚れた洗浄部分に供給するようにし、
電気信号で洗浄液タンク２０に給水、給水停止する給水手段と、
電気信号で洗浄液タンク２０内の汚れた洗浄液を排水、排水停止する排水手段と、
前記送水管２２中の洗浄液に光照射して光透過率を算出し、その光透過率で送水管２２中の洗浄液の汚れ程度を判断し、かつ洗浄液が交換する必要がある程度まで汚れたことを検知して洗浄液交換信号を出力する洗浄液交換時期指示手段６０を設け、
前記洗浄液交換信号によって前記排水手段を自動的に作動して洗浄液タンク２０内の汚れた洗浄液を排水し、その後に前記給水手段を自動的に作動し、前記洗浄液タンク２０に新しい洗浄液を一定量供給するようにしたことを特徴とする洗浄装置付きレンジフード。
【請求項２】
電気信号により洗浄液タンク２０内に洗浄剤を供給、供給停止する洗浄剤供給装置を設け、この洗浄剤供給装置を前記洗浄液交換信号によって作動して洗浄液タンク２０内に洗浄剤を供給するようにした請求項１記載の洗浄装置付きレンジフード。
【請求項３】
前記送風機１０の内部を洗浄液で洗浄するようにし、
前記送風機１０の吸気口１８と対向して吸気シャッター４０を、その吸気口１８に接して吸気口１８を閉じる位置と、前記吸気口１８から離れて吸気口１８を開放し、かつ整流板として機能する位置とに亘って移動自在に設けた請求項１又は２記載の洗浄装置付きレンジフード。
【発明の詳細な説明】
【０００１】
【発明の属する技術分野】
本発明は、洗浄装置付きレンジフードに関する。
【０００２】
【従来の技術】
レンジフードはフード本体内に送風機とフィルターを取付け、フード本体内の廃ガスをフィルターを通して送風機で吸込んでダクト配管を通して屋外に排出するものである。
このレンジフードであれば、廃ガス中の油脂成分をフィルターで捕獲して屋外に排出される油脂成分を低減できる。
【０００３】
前述のレンジフードにおいてはフィルター及び送風機内部が油脂成分で汚れるので、洗浄装置付きレンジフードが提案されている。
例えば、フード本体に洗浄液タンクを設け、この洗浄液タンク内の洗浄液をポンプでフィルターに圧送し、フィルターを洗浄した洗浄液を洗浄液タンクに回収して再利用する循環方式の洗浄装置を備えたレンジフードが提案されている。
また、特開平８−２１９５１７号公報に示すように、水道水を給水管で送風機内部に噴霧し、送風機内部の油脂成分を凝縮させて汚水とし、この汚水を排水管で排水することで送風機内部が油脂成分で汚れないようにした洗浄装置を備えたレンジフードが提案されている。
【０００４】
【発明が解決しようとする課題】
前述の循環方式の洗浄装置を備えたレンジフードでは洗浄液タンク内の洗浄液が汚れたら使用者が洗浄液を交換する必要があり、その洗浄液の交換作業は大変面倒である。また、容易に交換できるようフード本体に洗浄液タンクを昇降させ、手元で交換できるよう昇降機構を設ける必要があったりと、現実的には様々な問題があった。
従来の水道水を利用した洗浄装置を備えたレンジフードでは洗浄液が排水管で随時排水されるので使用者が汚れた洗浄液を交換する必要がない。しかしながら洗浄中に水道水を噴霧し続けるので水道水を多く使用し、ランニングコストが必然的に高くなる。
【０００５】
そこで、本発明は前述の課題を解決できるようにした洗浄装置付きレンジフードを提供することを目的とする。
【０００６】
【課題を解決するための手段】
第１の発明は、フード本体１と送風機１０と洗浄液タンク２０と洗浄液ポンプ２１を備え、その送風機１０を駆動することで、前記フード本体１内の廃ガスを屋外に排出し、前記洗浄液タンク２０内の洗浄液を洗浄液ポンプ２１により前記廃ガスで汚れた洗浄部分に供給し、洗浄した後の洗浄液を前記洗浄液タンク２０に回収して循環再利用する洗浄装置を備えたレンジフードにおいて、
前記洗浄液タンク２０内の洗浄液を洗浄液ポンプ２１により送水管２２に送水し、この送水管２２内の洗浄液を、前記廃ガスで汚れた洗浄部分に供給するようにし、
電気信号で洗浄液タンク２０に給水、給水停止する給水手段と、
電気信号で洗浄液タンク２０内の汚れた洗浄液を排水、排水停止する排水手段と、
前記送水管２２中の洗浄液に光照射して光透過率を算出し、その光透過率で送水管２２中の洗浄液の汚れ程度を判断し、かつ洗浄液が交換する必要がある程度まで汚れたことを検知して洗浄液交換信号を出力する洗浄液交換時期指示手段６０を設け、
前記洗浄液交換信号によって前記排水手段を自動的に作動して洗浄液タンク２０内の汚れた洗浄液を排水し、その後に前記給水手段を自動的に作動し、前記洗浄液タンク２０に新しい洗浄液を一定量供給するようにしたことを特徴とする洗浄装置付きレンジフードである。
【０００７】
第２の発明は、第１の発明において、電気信号により洗浄液タンク２０内に洗浄剤を供給、供給停止する洗浄剤供給装置を設け、この洗浄剤供給装置を前記洗浄液交換信号によって作動して洗浄液タンク２０内に洗浄剤を供給するようにした洗浄装置付きレンジフードである。
第３の発明は、第１又は第２の発明において、前記送風機１０の内部を洗浄液で洗浄するようにし、
前記送風機１０の吸気口１８と対向して吸気シャッター４０を、その吸気口１８に接して吸気口１８を閉じる位置と、前記吸気口１８から離れて吸気口１８を開放し、かつ整流板として機能する位置とに亘って移動自在に設けた洗浄装置付きレンジフードである。
【０００８】
【作用】
第１の発明によれば、洗浄液タンク２０内の洗浄液を循環再利用して洗浄するので、その洗浄液の使用量が少なく、ランニングコストが安い洗浄装置付きレンジフードである。
また、洗浄液タンク２０内の洗浄液が送水管２２により洗浄部分に供給され、その送水管２２内の洗浄液が交換を必要とする程度まで汚れた場合には、洗浄液タンク２０内の汚れた洗浄液を自動的に排水し、新しい洗浄液を自動的に洗浄液タンク２０内に一定量供給されるので、洗浄液タンク２０内の洗浄液を自動的に交換できる。
【０００９】
第２の発明によれば、洗浄液タンク２０内の洗浄液を交換する時に洗浄液タンク２０内に洗浄剤を自動的に供給できる。
したがって、洗浄液タンク２０内の洗浄液は洗浄剤を含む洗浄液となるので、付着したり、こびりついた油脂成分を効率良く、きれいに洗浄できる。
第３の発明によれば、吸気シャッター４０で吸気口１８を閉じた状態で送風機１０内を洗浄することで、その洗浄液が吸気口１８から外部に飛散することがない。
【００１０】
【発明の実施の形態】
図１に示すように、フード本体１は背面板２、前面板３、左右の側面板４、天板５によって下面が開口した箱状である。このフード本体１内に仕切板６が取付けられて送風機取付室７を形成し、その送風機取付室７内に送風機１０が取付けてある。前記送風機１０は図２に示すようにファンケーシング１１、そのファンケーシング１１内に収容されるファン１２、そのファン１２に動力を伝達するファン用モータ１３、ファン１２の外周に設置されるフィルター１４等から構成されている。
【００１１】
ファンケーシング１１は、図１、図２に示すように、鋼板、フッ素樹脂の予被膜鋼板、シリコン樹脂の予被膜鋼板等からなる帯板材を用いて湾曲形成してボリュート形状を呈する胴部１５の左右開放部を左右側板部１６，１７で閉塞して吸気口１８と排気口１９を有する従来と同様な形状に形成されている。
ファン１２は回転中心側から吸い込み外周側に吐出する遠心式のファン、例えばシロッコファンであり、内径は吸気口１８よりも大きい。シロッコファンの替りにターボファンを用いても良い。
フィルター１４は、この種のフィルターとして一般的に使用されているパンチングメタル、ラス網等任意であるが、本実施の形態ではステンレス製、アルミニウム製等金属製の帯板にスリットを所定の間隔で縦設もしくは横設し、ファン１２よりも一回り大きな直径を有する円筒状もしくはほぼ円筒状に巻装して形成される。
【００１２】
前記フード本体１内の送風機１０の下部には洗浄液タンク２０が取付けてあり、この洗浄液タンク２０内の洗浄液は洗浄液ポンプ２１、送水管２２を経てファンケーシング１１内部に送水される。この実施の形態では送水管２２の先端部を胴部１５からフィルタ１４の外周面に向けて突出している。
【００１３】
前記ファンケーシング１１（胴部１５）の底部には排水口２３が形成され、この排水口２３は洗浄液タンク内に開口し、送水管２２からフィルター１４、ファン１２に送水された洗浄液はファンケーシング１１の底部に溜り、排水口２３から洗浄液タンク２０内に流れ落ちて回収される。これによって、洗浄液循環式の洗浄装置を形成している。
【００１４】
前記洗浄液タンク２０には給水管２４が給水弁２５を経て突出し、洗浄液タンク２０の底部に排水弁２６を経て排水管２７が接続してある。
前記給水管２４は図示しない水道配管に接続され、排水管２７は図示しないシンクの排水用配管に接続されている。
【００１５】
前記洗浄液タンク２０には洗浄剤供給配管２８が接続している。この洗浄剤供給配管２８は洗浄剤供給装置に接続している。
例えば、図３に示すようにモータ２９で回転される円板３０をハウジング３１内に設け、この円板３０に沿ってチューブ３２を略Ｕ字状にハウジング３１内に配設し、その円板３０に一対の突起３３を設ける。
前記チューブ３２の一端に洗浄剤供給配管２８を接続し、他端に接続した配管３４を液状の洗浄剤が入れてある容器３５内に突出する。
【００１６】
このようにすれば、モータ２９で円板３０を回転することでチューブ３２が突起３３で順次押しつぶされるので、容器３５内の洗浄剤を洗浄剤供給配管２８に圧送できる。
なお、電動式の液体ポンプで液状の洗浄剤を洗浄剤供給配管２８に供給するようにしても良い。
つまり、洗浄剤供給装置は電気信号で洗浄剤を洗浄液タンク２０内に供給したり、供給停止する構成である。
【００１７】
前記送風機１０の吸気口１８は仕切板６の入口８と対向している。
この入口８及び吸気口１８を開閉する吸気シャッター４０が取付けてある。この吸気シャッター４０は吸気シャッター用モータ４１で回転される送りネジ杆４２に螺合したナット部材４３を備え、送りネジ杆４２を正逆回転することで矢印ａ方向に平行に移動して入口８及び吸気口１８を開閉する。
【００１８】
前記吸気シャッター４０は吸気口１８よりも大きな縦板状で、下縁部が上向きに折り曲げられて油受け４４を形成している。
この吸気シャッター４０は吸気口１８から離れて吸気口１８を開放した状態では整流板として機能する。
【００１９】
前記フード本体１の天板５にはダクト配管４５が送風機１０の排気口１９と連続して取付けてある。このダクト配管４５には排気シャッター４６が取付けてある。この排気シャッター４６は排気シャッター用モータ４７で揺動してダクト配管４５を閉塞、開放するものである。
【００２０】
フード本体１の前面板３に取付けた操作ボックス５０は図４に示すように起動釦５１、停止釦５２、洗浄釦５３を備え、各釦からコントローラ５４に起動信号、停止信号、洗浄信号が入力される。
【００２１】
次に作動を説明する。
起動釦５１を操作してコントローラ５４に起動信号を入力すると、コントローラ５４はファン用モータ１３を駆動すると共に、吸気シャッター用モータ４１、排気シャッター用モータ４７を駆動して吸気シャッター４０と排気シャッター４６を開放位置とする。この時、洗浄液ポンプ２１を駆動するポンプ用モータ２１ａは停止する。
【００２２】
これによって、ファン１２が高速回転してフード本体１内の廃ガスを吸気口１８から吸い込んで外周方向に吐出し、その廃ガスは円筒状のフィルター１４を通して排気口１９からダクト配管４５を通って屋外に排出される。前述の廃ガス中の油脂分はフィルター１４で捕獲される。
【００２３】
停止釦５２を操作してコントローラ５４に停止信号を入力するとファン用モータ１３が停止して送風機１０が停止する。この後に洗浄釦５３を操作してコントローラ５４に清掃信号を入力すると、ファン用モータ１３が駆動してファン１２が低速で回転すると共に、ポンプ用モータ２１ａが回転駆動し、かつ吸気・排気用シャッター用モータ４１，４７が駆動して吸気シャッター４０、排気シャッター４６を閉塞位置とする。
【００２４】
これによって、洗浄液がフィルター１４を通ってファン１２に送水されて外周に飛散してフィルター１４の全周に吹きつけられて洗浄する。洗浄した洗浄液は排水口２３から洗浄液タンク２０内に落下回収される。
この時、吸気口１８、排気口１９は吸気シャッター４０、排気シャッター４６で閉塞されているので、洗浄液がフード本体１内に飛散したり、ダクト配管４５に飛散することがない。
なお、洗浄釦５３を設けずにファン用モータ１３が停止したら自動的に前述のように動作するようにしても良い。
【００２５】
次に洗浄液タンク３０内の洗浄液交換について説明する。
前記給水弁２５、排水弁２６は電気信号で開閉作動する電磁開閉式の弁であり、図４に示すようにコントローラ５４からの電気信号で開閉作動する。これにより排水弁２６と排水管２７で電気信号で排水、排水停止する排水手段を形成する。
コントローラ５４には洗浄液交換時期指示手段６０から洗浄液交換信号が入力される。
【００２６】
前記洗浄液交換時期指示手段６０は図２に示すように送水管２２に設けた濁度検出器６１である。この濁度検出器６１は例えば、送水管２２中の洗浄液に光を照射し、洗浄液を透過した光の量によって光透過率を算出し、その光透過率で洗浄液の汚れ程度を判断する。
具体的には、洗浄液は洗浄中にポンプにて吸い込み循環し、洗浄液中に含まれる油分または汚れ分は次第に均一化される。この時の送水管２２内に流れる洗浄液に一定方向から光を照射し、正面にその照射された光量を検出する検出器を取付け、洗浄液が新しい状態での光透過量をあらかじめ設定し、洗浄中の光透過量と比例して光透過率を算出し、その光透過率により洗浄液の汚れを判断し、交換する必要がある程度まで汚れた洗浄液に見合う設定した光透過率となった時に洗浄液交換を指示する。
【００２８】
前記洗浄液タンク２０内にはフロートスイッチや水位センサーなどの水位検知手段６２が設けてあり、洗浄液タンク２０内の洗浄液水位をコントローラ５４に入力する。
【００２９】
洗浄液交換の指示がコントローラ５４に入力されると、コントローラ５４は排水弁２６の開信号（つまり、排水信号）を出力して排水弁２６を開作動し、洗浄液タンク２０内の汚れた洗浄液を排水管２７で排水する。
排水開始してから、あらかじめ設定した時間（洗浄液タンク２０内の洗浄液が完全に排水されるまでの時間）が経過したら、コントローラ５４が排水弁２６の閉信号（つまり、排水終了信号）を出力して排水弁２６を閉作動する。
【００３０】
この後にコントローラ５４が給水弁２５の開信号（つまり、給水信号）を出力して給水弁２５を開作動し、給水管２４に流れる水道水を洗浄液として洗浄液タンク２０内に注水する。
これと同時にコントローラ５４はモータ２９の起動信号を出力してモータ２９を駆動し、洗浄剤を洗浄剤供給配管２８で洗浄液タンク２０内に供給する。
【００３１】
洗浄液タンク２０内に供給された洗浄剤は注水された洗浄液と均一に混合し、洗浄剤を含む洗浄液として洗浄液タンク２０内に溜る。この洗浄剤を供給するタイミングは洗浄液を注水以前でも良いし、注水終了後でも良い。また、洗浄剤としては液体であるが、粉末でも良い。
【００３２】
このように、洗浄液タンク２０内の洗浄液が洗浄剤を含む洗浄液とすれば、その洗浄液を用いてフィルター１４、ファンケーシング１１内部に付着した油脂成分をきれいに洗浄できる。
つまり、洗浄剤を含まない洗浄液を用いた場合には、噴霧式で圧力をかけ汚れた部分に直接スプレーしても油膜やこびりついた部分の油脂成分はきれいに洗浄できない。自動車洗浄用の高圧高温スチームともなれば別だが、レンジフードに使用するには大袈裟で高価なものとなり、騒音の発生、水モレ等様々な問題が発生する。したがって、洗浄液供給の際に洗浄液を少量加えることで一層洗浄性の非常に良い洗浄装置となる。
【００３３】
水位検知手段６２が設定した一定水位を検知したら、コントローラ５４は給水弁２５の閉信号（つまり、給水終了信号）を出力して給水弁２５を閉作動すると同時にモータ２９を停止し、給水と洗浄剤の供給を終了する。
【００３４】
次に洗浄液の補給について説明する。
洗浄装置の使用頻度が少なかったり、汚れ度合いが少なかったりと長期的に洗浄液が交換されない場合があり、この時は交換よりも先に洗浄液が蒸発により減ってしまうことがある。
このために、水位検知手段６２で洗浄液タンク２０内の洗浄液水位を監視し、あらかじめ設定した補充を必要とする水位まで水位が下がった時は前述と同様に給水弁２５を開作動して設定した正しい水位となるまで給水する。
【００３５】
以上の説明では水道配管に接続した給水管２４を給水弁２５を経て洗浄液タンク２０に接続して給水するようにしたが、電動式の給水ポンプでタンク内の洗浄液を給水管２４で洗浄液タンク２０に注水するようにしても良い。つまり、電気信号で給水、給水停止する給水手段を設ければ良い。
この場合には給水弁２５を開閉作動する信号で電動式の給水ポンプを起動・停止する。
また、タンク内に洗浄剤と洗浄液を入れておき、洗浄剤を含む洗浄液を洗浄液タンク２０に給水するようにしても良い。
【００３６】
以上の説明では、フィルター１４をファンケーシング１１内に取付けたが、吸気口１８と対向して縦向きに取付け、そのフィルターに沿って洗浄液を流下して洗浄すると共に、洗浄後の洗浄液を洗浄液タンク２０内に回収しても良い。この場合にはファンケーシング１１内に洗浄液を供給してファンケーシング１１内部を洗浄しても良い。
また、ファンケーシング１１の胴部１５内面に凹凸を形成し、この凹凸に油脂成分を付着して捕獲すると共に、その凹凸に洗浄液を供給して洗浄するようにしても良い。このようにすればフィルタを使用しないことも可能となる。
【００３７】
【発明の効果】
請求項１に係る発明によれば、洗浄液タンク２０内の洗浄液を循環再利用して洗浄するので、その洗浄液の使用量が少なく、ランニングコストが安い洗浄装置付きレンジフードである。
また、洗浄液タンク２０内の洗浄液が送水管２２により洗浄部分に供給され、その送水管２２内の洗浄液が交換を必要とする程度まで汚れた場合には、洗浄液タンク２０内の汚れた洗浄液を自動的に排水し、新しい洗浄液を自動的に洗浄液タンク２０内に一定量供給されるので、洗浄液タンク２０内の洗浄液を自動的に交換できる。
【００３８】
請求項２に係る発明によれば、洗浄液タンク２０内の洗浄液を交換する時に洗浄液タンク２０内に洗浄剤を自動的に供給できる。
したがって、洗浄液タンク２０内の洗浄液は洗浄剤を含む洗浄液となるので、付着したり、こびりついた油脂成分を効率良く、きれいに洗浄できる。
請求項３に係る発明によれば、吸気シャッター４０で吸気口１８を閉じた状態で送風機１０内を洗浄することで、その洗浄液が吸気口１８から外部に飛散することがない。
【図面の簡単な説明】
【図１】洗浄装置付きレンジフードの斜視図である。
【図２】縦断面図である。
【図３】洗浄剤供給装置の斜視図である。
【図４】制御回路図である。
【符号の説明】
１…フード本体、１０…送風機、１１…ファンケーシング、１２…ファン、１４…フィルター、２０…洗浄液タンク、２１…洗浄液ポンプ、２２…送水管、２４…給水管、２５…給水弁、２６…排水弁、２７…排水管、２８…洗浄剤供給配管、２９…モータ、３０…円板、３２…チューブ、３３…突起、３５…容器、４０…吸気シャッター、４６…排気シャッター、５０…操作ボックス、５４…コントローラ、６０…洗浄液交換時期指示手段、６１…濁度検出器、６２…水位検知手段。
【図１】
0004310558.tif 000002
【図２】
0004310558.tif 000003
【図３】
0004310558.tif 000004
【図４】
0004310558.tif 000005